(57)【要約】【課題】上着の胸ポケットに設ける従来のポケットチ−フの取り付け方では、ポケットチ−フを形成する生地の腰が弱い為ポケットチ−フの形を整えるのが難しかった。【解決手段】一定の大きさの四角形状の平板で、その平板の上端辺から下方に一定の長さのスリット１１ａを設けポケットチ−フ保持用内枠１０ａを形成し、前記スリット内にポケットチ−フ２２ａの一部を挿入挟み込み内枠にポケットチ−フを固定し、その固定部を基点にポケットチ−フで内枠を覆い包み、内枠の略外形成りにポケットチ−フを折り固め、それを胸ポケット２１内に取り付け、ポケットチ−フ上部を一定の見栄えの良い形に整える。【選択図】    図１
2010095830.tif 000002
【特許請求の範囲】
【請求項１】
衣服の内、ス-ツ又はジャケットなどの上着の胸部外側に設けられた胸ポケットで、その胸ポケットに取り付けられるポケットチ-フにおいて、該ポケットチ−フで包み同ポケットチ−フ内側に設ける内枠で、同内枠の形状は一定の厚みと胸ポケット深さより小さい高さと胸ポケットの内幅より小さい横幅を有する一定の広さを持ち、同広さを形成する外形辺の少なくとも上辺側には、同上辺横幅間の任意の位置から下方に一定の長さのポケットチ−フの一部を挟み固定する、挟み込み部を設けた形状からなることを特徴とするポケットチ−フ保持用内枠。
【請求項２】
挟み込み部の形状は、細幅溝状のスリット形状となったことを特徴とする請求項１記載のポケットチ−フ保持用内枠。
【請求項３】
挟み込み部の形状は、切れ目形状となったことを特徴とする請求項１記載のポケットチ−フ保持用内枠。
【請求項４】
内枠に設けられるスリットの長さ間の任意の位置には、スリット幅を狭くしたスリット絞り部を設けたことを特徴とする請求項２記載のポケットチ−フ保持用内枠。
【発明の詳細な説明】
【技術分野】
【０００１】
本発明は、衣服の内ス-ツ又はジャケットなどの上着の胸ポケットに取り付けるポケットチ−フにおいて、同ポケットチ−フ内側に設け、同ポケットチ−フを一定の形に形成保持するポケットチ−フ保持用内枠に関する。
【背景技術】
【０００２】
従来の胸ポケットに設けるポケットチ−フは、そのポケットチ−フを任意の形状に折り固めそれを胸ポケットに取り付け上部を一定の見栄えのする形に整えていた。
【０００３】
また、一定の大きさの平坦板状体の上方と下方に一定の横幅を持つ筋状貫通孔を設けたポケットチ−フ保持具で、その保持具の孔部にポケットチ−フを通しポケットチ−フを保持するものがある。
（例えば特許文献１参照）
【０００４】
【特許文献１】特開平０６−３１３２０１
【発明の開示】
【発明が解決しようとする課題】
【０００５】
以上に述べたポケットチ−フの取り付け方ではポケットチ−フが腰の弱い布地であるため、ポケットチ−フ上部を一定の見栄えのする形に整えるのが難しかった。
【０００６】
また、ポケットチ−フ保持具を設けたものにおいては、筋状貫通孔部位置からポケットチ−フ上端間にポケットチ−フがフリ-となる一定の高さが生じ、ポケットチ−フをしっかり保持することが困難で、腰の弱い布地のポケットチ−フの形状は不安定でなものとなり、その上部を見栄えのする形に整えるのは難しいものであった。そして、ポケットチ−フ横幅は筋状貫通孔の横幅に制限される為、胸ポケット内幅を有効に使えずポケットチ−フの装飾性を小さく抑制するものとなっている。
【０００７】
本発明は、この様な従来の問題を解決しょうとするもので、ポケットチ−フを一定の外形形状の大きさに折り固め、同ポケットチ−フの上部を見栄えのする形に整えることを容易にし、それを一定の保持力で保つことを目的とするものである。
【課題を解決するための手段】
【０００８】
そして、本発明は上記目的を達成するために胸ポケットに取り付けるポケットチ−フで、そのポケットチ−フで包み込みポケットチ−フ内側に設ける一定の大きさの内枠で、同内枠の形状は胸ポケットの深さより小さい高さと胸ポケットの内幅よりやや小さい横幅を有する一定の弾力と腰の強さを持つ一定の薄い厚さの平板からなり、同平板の外周辺の内上辺の中央部辺りから下方にポケットチ−フの一部を挟み固定する挟み込み部となる、一定の長さの細幅溝状のスリットを設けた形状からなっている。（図２参照）
【０００９】
また、スリットの長さ間の任意の位置には、１個所又は複数箇所スリット幅を狭くしたスリット絞り部を設けている。（図３参照）
【００１０】
また、内枠に設ける挟み込み部の形状は、切れ目形状からなっている。（図４参照）
【００１１】
また、内枠の下辺側にスリットを設けている。（図３参照）
【００１２】
上記スリット部又は切れ目部にポケットチ−フを挟み込みポケットチ−フの一部を固定する。そして、一部固定されたポケットチ−フで内枠を包み込みポケットチ−フを内枠の略外形形状成りに折り固め、それを胸ポケットに取り付ける。そして、必要とあればポケットチ−フの上部を押し引きしながら好みにあった形に整える。（図６〜図８参照）
【００１３】
なお、内枠を略正四角形状から形成すると、四辺の内一辺側に挟み込み部を設け、その内枠を回転して使用すると、ポケットチ−フの挟み込み部を上下左右のどちら側の位置にも配置することが可能となり、内枠にポケットチ−フを固定する固定の向きの多様性を図れるものとなる。
【発明の効果】
【００１４】
上述した様に本発明のポケットチ−フ保持用内枠をポケットチ−フ内に設けることで、ポケットチ−フを一定の形状に折り固めるのが容易となる
【００１５】
そして、内枠のスリット部又は切れ目部にポケットチ−フを固定すると、内枠の略外形形状成りにポケットチ−フが安定して保たれ、それによってポケットチ−フ上部の形が整え易くなり、またその整えた形の型崩れを抑えるものとなる。そして、内枠の下辺側にスリット設けると、より強くポケットチ−フが内枠に密着保持され、ポケットチ−フの下方部の折り固め形状が安定し、胸ポケットえの挿入が容易となる。
【００１６】
また、内枠に挟み込み部を設けると図７、図８で示す様に色や柄の異なる２枚のポケットチ−フを内枠に取り付け固定するのが容易となり、セパレ-ト状に様々な色合いや柄の組合せのお洒落を楽しむことが可能となる。
【００１７】
また、スリットの長さ間の一部にスリット絞り部を設けると、その絞り部でポケットチ−フの生地を強く挟みスリット内からポケットチ−フが抜け出すのを抑制し、折り固められたポケットチ−フの型崩れを防ぐものとなる。
【００１８】
また、一定の弾力を持った内枠の切れ目部を前後に押し広げポケットチ−フを挟み込むと、押し広げて変形した切れ目部に常に一定のばね力が働きポケットチ−フはしっかりと固定されることとなる。
【発明を実施するための最良の形態】
【００１９】
以下、本発明の実施の形態を図１〜図８に基づいて説明する。
図１の内（Ａ）はス-ツなどの上着２０の胸ポケット２１に取り付けられるポケットチ−フ２２ａは、同ポケットチ−フで本発明の内枠１０ａを包みそのポケットチ−フを取り付けた正面図を示し、（Ｂ）は（Ａ）の上部横断面図を示している。
内枠１０ａ上部に設けられている一定の縦長さのスリット１１ａ部に、ポケットチ−フ２２ａの一部を挟み込んで取り付け、前記内枠１０ａをポケットチ−フ２２ａで包み込みポケットチ-フを内枠の略外形形状成りに形成し、それを胸ポケット２１に取り付け、同取り付け後ポケットチ−フの上部を見栄えのする形に整える。
【００２０】
図２は、本発明実施例の内枠１０ａの正面図を示し、一定の弾力と曲げ強さを持つ薄平板からなる一定の大きさの四角形状の上辺中央部には、その上辺から下方に一定の長さの細幅溝状のスリット１１ａと、そのスリット下端にポケットチ-フの一端の生地溜めとなる穴１６ａを設けて内枠１０ａを形成している。
【００２１】
図３は、図２の変形例を示し、スリット１１ｂの縦長さ間の任意の位置に、隙間を狭めたスリット絞り部１２ａ、１２ｂを設け、その内枠の下辺から上方に一定の縦長さのスリット１１ｃを備え、内枠下方部横幅を絞りコンパクトな内枠１０ｂを形成している。
【００２２】
図４、図５の内図４は図２の変形例を示し、四角形状の上辺の中央部から下方に一定の長さの切れ目１３を設け、その切れ目の下端には一定の大きさの穴１６ｂを備えて内枠１０ｃを形成している。図５は図４の横断面図を示し、切れ目１３近くの内枠本体部を前後に押し広げ切れ目部にポケットチ−フを挟み込み容易にする隙間１５を作る使用例を示している。そして、前記穴１６ｂは前記隙間１５を作る際に変形を容易にし、切れ目下方部にばね力が働きやすいものとしている。
【００２３】
図６は、ポケットチ−フ２２ａを折りたたみ、その折り目１４の一端を内枠１０ａのスリット１１ａ部に挿入挟み込む操作例を示している。
【００２４】
図７は、内枠１０ａのスリット１１ａ部に色や柄の異なる２枚のポケットチ−フ２２ｂ，２２ｃの一端を挿入する操作例を示している。
【００２５】
図８は、図７で示すスリット１１ａ部に挿入したポケットチ−フ挿入先端の一部は穴１６ａ内に生地溜め状態に納置され、２枚のポケットチ−フ２２ｂ、２２ｃで内枠１０ａを包み、異なるポケットチ−フの組み合わせを楽しむ取り付け例を示し、前記穴内に生地溜めをすると、その穴からポケットチ−フが抜け出ようとするとその穴とスリット境目にポケットチ−フが強く介接することとなり、ポケットチ−フが抜け出るのを抑えるものとなる。
【図面の簡単な説明】
【００２６】
【図１】ポケットチ−フで本発明のポケットチ−フ保持用内枠を包み、上着の胸ポケットに取り付けた実施例を示し、（Ａ）はその正面図で（Ｂ）は横断面図
【図２】本発明の一実施例を示すポケットチ−フ保持用内枠の正面図
【図３】図２のポケットチ−フ保持用内枠の変形例図
【図４】図３のポケットチ−フ保持用内枠の変形例図
【図５】使用例を示す図４のＡ−Ａ断面図
【図６】本発明の内枠にポケットチ−フを取り付ける実施例を示す斜視図
【図７】図６の変形例を示す斜視図
【図８】本発明の内枠を２枚のポケットチ−フで包んだ実施例を示す正面図
【符号の説明】
【００２７】
１０ａ：内枠
１０ｂ：内枠
１０ｃ：内枠
１１ａ：スリット
１１ｂ：スリット
１１ｃ：スリット
１２ａ：スリット絞り部
１２ｂ：スリット絞り部
１３  ：切れ目
１４  ：折り目
１５  ：隙間
１６ａ：穴
１６ｂ：穴
２０  ：上着
２１  ：胸ポケット
２２ａ：ポケットチ−フ
２２ｂ：ポケットチ−フ
２２ｃ：ポケットチ−フ
【図１】
2010095830.tif 000003
【図２】
2010095830.tif 000004
【図３】
2010095830.tif 000005
【図４】
2010095830.tif 000006
【図５】
2010095830.tif 000007
【図６】
2010095830.tif 000008
【図７】
2010095830.tif 000009
【図８】
2010095830.tif 000010